(57)【要約】【課題】  利用スペースが小さな縦柱式日のよけオーニングを提供する【解決手段】  左右2本の縦柱（５，６）は高さ調整可能なケーシング構造をなし、縦柱の頂部と底部とには頂部スタンド（９）と、高さ調整可能な底部スタンド（１０）がそれぞれ設けられる。ロール（１０３１）と、オーニング布（１０３２）と、前縁部（１０３３）とよりなるオーニング本体（１０３）はスライド・ジョイント（１８）を介して２本の縦柱（５，６）に取り付けられる。伝動機構はロールと連結され、左右２本の支持バーはそれぞれの一端が縦柱に可動的に連結されるとともに、他端が前縁部の対応する一端に可動的に連結される。【選択図】図１
0003124441.tif 000002
【実用新案登録請求の範囲】
【請求項１】
オーニング本体と、縦柱と、伝動機構と、支持バーから構成され、
左右2本の縦柱は高さ調整可能なケーシング構造となっており、縦柱の頂部と底部には頂
部スタンドと、高さ調整可能な底部スタンドがそれぞれ設けられ、ロールと、オーニング布と、前縁部とを含むオーニング本体はスライド・ジョイントを介して２本の縦柱に取り付けられ、
伝動機構はロールと連結され、
左右２本の支持バーはそれぞれの一端が縦柱に可動的に連結され、それぞれの他端が前縁部の対応する一端に可動的に連結されていることを特徴とする縦柱式の日よけオーニング。
【請求項２】
請求項１に記載の縦柱式の日よけオーニングにおいて、
前記オーニング本体の部分は、ロールとロールに巻き付けられたオーニング布とを格納するハウジングをさらに備えたことを特徴とする縦柱式の日よけオーニング。
【請求項３】
前記伝動機構はギア・ボックス伝動機構であることを特徴とする請求項１又は２に記載の縦柱式の日よけオーニング。
【請求項４】
前記伝動機構は、自在継手を介して連結されているハンドル・レバーをさらに備えたことを特徴とする請求項３に記載の縦柱式の日よけオーニング。
【請求項５】
前記支持バーと縦柱は縦柱に沿って上下移動可能な支持バー用スライド・ジョイントを介して連結されていることを特徴とする請求項１又は２に記載の縦柱式の日よけオーニング。
【請求項６】
前記支持バーは長さが調整可能なケーシング構造であることを特徴とする請求項１又は２に記載の縦柱式の日よけオーニング。
【請求項７】
支持バーと支持バー用スライド・ジョイントは回転連結されていることを特徴とする請求項５に記載の縦柱式の日よけオーニング。
【請求項８】
前記支持バーは長さが調整可能なケーシング構造であることを特徴とする請求項５に記載の縦柱式の日よけオーニング。
【考案の詳細な説明】
【技術分野】
【０００１】
本考案は、日よけオーニングに係わり、特に縦柱式の日よけオーニングに関するものである。
【背景技術】
【０００２】
現在、よく利用された日よけオーニングは通常、壁に固定して取り付けられ、或いは地面に支持されたものである。前者は一旦取り付けられると、移動することができない。後者も固定して取り付けられると、移動することができない。可動的に取り付ける場合、取付作業は複雑になり、安定性が劣る。天井（本明細書でいう天井とは一般、下向きの固定平面を指す）を有する環境に配置した場合、取り付けまたは架設にとっては、上記の２構造とも好ましくない。
【考案の開示】
【考案が解決しようとする課題】
【０００３】
本考案の目的は、天井を有する環境において、容易にして堅箇に架設でき、且つ構造が簡易であり、利用スペースが小さな縦柱式日のよけオーニングを提供することにある。
【課題を解決するための手段】
【０００４】
上記した課題を解決するため、本考案では、オーニング本体の部分と、縦柱の部分と、伝動機構と、支持バーの４つの部分から構成され、左右2本の縦柱は高さ調整可能なケーシ
ング構造となっており、縦柱の頂部と底部には頂部スタンドと、高さ調整可能な底部スタンドがそれぞれ設けられ、ロールと、オーニング布と、前縁部とを含むオーニング本体はオーニング本体用スライド・ジョイントを介して２本の縦柱に取り付けられ、伝動機構はロールと連結され、左右２本の支持バーはそれぞれの一端が縦柱に可動的に連結され、それぞれの他端が前縁部の対応する一端に可動的に連結されている、という手段を採用した。
前記オーニング本体は、ロールと、ロールに巻き付けられたオーニング布とを格納するハウジングをさらに備えている。前記伝動機構はギア・ボックス伝動機構を採用してもよい。前記伝動機構は、自在継手を介して連結されているハンドル・レバーをさらに備えている。前記支持バーと縦柱は縦柱に沿って上下移動可能な支持バー用スライド・ジョイントを介して連結されている。
本考案の縦柱はその高さが調整可能であり、その底部スタンドは地面に立てられ、頂部スタンドは天井に接触し、縦柱の長さを調整することで、それを地面と天井との間に堅箇に支持させて、縦柱オーニング本体の架設を完成させる。オーニング本体の部分は２つのオーニング本体用スライド・ジョイントにて２本の縦柱の上部に取り付けられる。支持バーは２つの支持バー用スライド・ジョイントにて縦柱の中間部に取り付けられてオーニング本体の前縁部を支持し、並びに支持バー用スライド・ジョイントに締め付けられた締め付けボルトを軸として上下に摺動することができる。オーニング本体の一端に取り付けられたギア・ボックスとハンドル・レバーによりオーニング布の収納と引き出しを制御しながら、支持バーの摺動を連動させる。本考案によれば、取り付けが便利であり、利用スペースが小さく、使用は簡単である。
【考案を実施するための最良の形態】
【０００５】
図１〜図３に示すように、本考案の縦柱式日よけオーニングは、オーニング本体の部分１と、縦柱の部分と、ギア・ボックス伝動機構と、支持バー３との４つの部分から構成されている。
オーニング本体の部分は、オーニング本体１０３と、ハウジング１０４と、ハウジングカ
バー１０２とを備えている。また、オーニング本体は、ロール１０３１と、末端がロールに固定されるとともにロールに巻き付けられるオーニング布１０３２と、オーニング布先端を固定するための前縁部１０３３とをさらに備えている。ハウジングカバーはカバーボルト１０１を介してハウジングの両端へカバーされ、ハウジングカバーの中間部は軸受けとなり、ロール両端の軸と組み付けられており、ロールをハウジングの軸線に固定させている。
縦柱の部分は左右に平行となる２本の垂直な縦柱からなる。各縦柱は下縦柱５と、上縦柱６と、頂部スタンド９と、調整可能な底部スタンド１０とを備えている。上、下縦柱はケーシング構造であり、上縦柱は下縦柱の中に嵌め込まれ、柱本体に複数の貫通穴が設けられ、ボルト１９とカバー形ナット１２とで上、下縦柱が締め付けられて嵌め込み連結の長さを調整することを可能にした。頂部スタンドは天井と接触するよう縦柱の頂部に取り付けられている。調整可能な底部スタンドは縦柱の底部に取り付けられながら、地面に立てられており、その高さが調整可能となり、縦柱を天井と地面との間にしっかり固定するよう、縦柱の支持状態を調整させる。
２本の縦柱の上部には、それぞれオーニング本体用スライド・ジョイント７と、オーニング本体用スライド・ジョイント８とが取り付けられ、２つのオーニング用スライド・ジョイントは、各々のハンドル・ボルト２０を介して縦柱との間の締め付け強度を調整し、且つ縦柱に沿って上下に摺動できる。
ギア・ボックス伝動機構は、ギア・ボックス２と、ハンドル・レバー４とを備えている。ハンドル・パイプの上フックはギア・ボックスの吊リングの中に掛けられ、ギア・ボックスと、オーニング本体用スライド・ジョイント８およびハウジングカバーとの間には相応なるボルト取り付け用穴が設けられ、ボルト１７と、カバー形ナット１５およびワッシャー１１と、ウエスト形ワッシャー１３とを介してギア・ボックスと、オーニング本体用スライド・ジョイント８およびハウジングカバーとを一体に固定させる。ロール軸の四角形ヘッド部はギア・ボックスにおける相応なる四角形穴に入れられ。他方側の縦柱も同様な方法でハウジングカバーとオーニング本体用スライド・ジョイント７とを固定させる。オーニング本体用スライド・ジョイントは縦柱に沿って上下に摺動するとき、オーニング本体の部分とギア・ボックス伝動機構もそれに伴って上下に移動して、オーニング本体の高さの調整を実現する。
２本の縦柱の中部には、それぞれ１つの支持バー用スライド・ジョイント１８を有し、ハンドル・ボルト１６により縦柱との締め付け強度を調整し、且つ縦柱に沿って上下に摺動できる。
２本の支持バー３の両端はそれぞれボルト１４とハンドル・ボルト２１とを介して支持バー用スライド・ジョイントと前縁部と可動的に連結される。支持バーは、その長さを自由に変更できるよう、伸縮可能な構造に仕上げられる。支持バー用スライド・ジョイントは上下に摺動するとき、支持バーを連動させて縦柱に沿って上下に移動させる。
ハンドルを回転させると、ギア・ボックス伝動機構が作動し、ロールを回転させながら、オーニング布の収納と引き出しを行うと同時に、前縁部は支持バーを連動させてボルト１４を軸として回転させるようになる。
前縁部は円形管状を呈するものとして、円形管状の前縁部は、タック縫いを行ったオーニング布縫い面の内部を貫通して、両端部をセルフタッピング・スクリューを用いて圧着ワッシャーを介在して固定させることで、オーニング布と前縁部を連結させる。
図３は、本考案のオーニング布をほぼ収納したときの状態を示している。図４は、支持バーが水平を呈するときの本考案の状態を示し、このとき、オーニング布（図示せず）の水平投影面積は最大となる。
図５、６は、本考案の別の実施例を示している。この実施例では、ハンドル・レバーは自在継手２００を介して伝動機構と連結されているため、伝動機構の操作が、さらに簡便になる。この実施例のその他の構造は前記実施例と同一である。図５，６と図１〜４とにおいて同一の部材には同一の符号を付した。
【図面の簡単な説明】
【０００６】
【図１】本考案の一実施例を示す分解斜視図。
【図２】図１に示された縦柱オーニングを組み立てた後の斜視図。
【図３】図１に示された縦柱オーニングを収納した状態を示す斜視図。
【図４】図１に示された縦柱オーニングの支持バーが水平に支持された状態を示す斜視図。
【図５】本考案の別例を示す斜視図。
【図６】図５におけるＡ部の拡大図。
【符号の説明】
【０００７】
ギア・ボックス…２、支持バー…３、ハンドル・レバー…４、下縦柱…５、上縦柱…６、スライド・ジョイント…７、スライド・ジョイント…８、頂部スタンド…９、底部スタンド…１０、カバー形ナット…１２、ボルト…１４、ハンドル・ボルト…１６、スライド・ジョイント…１８、ボルト…１９、ハンドル・ボルト…２０、ハンドル・ボルト…２１、カバーボルト…１０１、ハウジングカバー…１０２、オーニング本体…１０３、ハウジング…１０４、３自在継手…２００、ロール…１０３１、オーニング布…１０３２、前縁部…１０３３。
【図１】
0003124441.tif 000003
【図２】
0003124441.tif 000004
【図３】
0003124441.tif 000005
【図４】
0003124441.tif 000006
【図５】
0003124441.tif 000007
【図６】
0003124441.tif 000008